(57)【要約】【課題】  簡単な構成で安価、しかも家庭内においていつでも比較的簡単に使用できるようにした水圧利用マッサージ装置を提供することが課題である。【解決手段】  ホースなどの可撓性管を接続して給、排水をおこなう給、排水口を有し、給水された水道水圧で膨張する膨張部材と、該膨張部材への水道水給水と排水を切り替える切替弁と、前記膨張部材をマッサージ部位で保持し、前記膨張部材への水道水給水による膨張力を前記マッサージ部位へ向かわせる保持部材とからなり、前記切替弁を切り替えて前記膨張部材の膨張、収縮を交互に切り替え、前記マッサージ部位に膨張部材による膨張力を与えてマッサージできるようにした。【選択図】  図１
2006006854.tif 000002
【特許請求の範囲】
【請求項１】
水道水の圧力を利用してマッサージを行う水圧利用マッサージ装置であって、
ホースなどの可撓性管を接続して給、排水をおこなう給、排水口を有し、給水された水道水圧で膨張する膨張部材と、該膨張部材への水道水給水と排水を切り替える切替弁と、前記膨張部材をマッサージ部位で保持し、前記膨張部材への水道水給水による膨張力を前記マッサージ部位へ向かわせる保持部材とからなり、
前記切替弁を切り替えて前記膨張部材の膨張、収縮を交互に切り替え、前記膨張部材による膨張力で前記マッサージ部位をマッサージすることを特徴とする水圧利用マッサージ装置。
【請求項２】
前記膨張部材のマッサージ部位側に、つぼ押圧用の押圧部材を取り付ける面ファスナーを配したことを特徴とする請求項１に記載した水圧利用マッサージ装置。
【請求項３】
前記膨張部材と前記マッサージ部位との間に、つぼ押圧用の押圧部材を取り付ける面ファスナーを配した板状部材を設けたことを特徴とする請求項１に記載した水圧利用マッサージ装置。
【請求項４】
前記保持部材を靴形に構成し、靴底側に前記膨張部材を配したことを特徴とする請求項１乃至３のいずれかに記載した水圧利用マッサージ装置。
【請求項５】
前記靴形に構成した保持部材における足の甲側に、つぼ押圧用の押圧部材を取り付ける面ファスナーを配したことを特徴とする請求項４に記載した水圧利用マッサージ装置。
【請求項６】
前記保持部材をゲートル状または広幅布状に構成してマッサージ部位側に前記膨張部材を配し、マッサージ部位に巻き付けて係止できるように構成してふくらはぎ、若しくは腹部をマッサージできるようにしたことを特徴とする請求項１または２に記載した水圧利用マッサージ装置。
【請求項７】
前記保持部材を肩から首へかけての形状に形成し、体側に前記膨張部材を配すると共に、ベルト状緊締具を付けたことを特徴とする請求項１または２に記載した水圧利用マッサージ装置。
【請求項８】
水道水を利用してマッサージを行う水圧利用マッサージ装置であって、
ホースなどの可撓性管を接続して給、排水をおこなう給、排水口を有し、給水された水道水圧で膨張する膨張部材と、玉状部材またはローラ状部材を有して前記膨張部材とマッサージ部位の間に位置し、前記玉状部材またはローラ状部材を所定方向に往復動可能に構成したマッサージ手段と、シリンダ装置を備え、該シリンダ装置へ水道水を給、排水することで前記マッサージ手段の往復動をおこなわせる機構と、前記膨張部材とシリンダ装置、及びマッサージ手段の往復動を行わせる機構を保持し、前記膨張部材への水道水給水による膨張力を前記マッサージ部位方向へ向かわせる保持部材と、前記膨張部材及びシリンダ装置への水道水給水と排水を切り替える切替弁と、からなり、
前記切替弁を切り替えて前記膨張部材の膨張、収縮を交互に切り替えると共に、前記マッサージ手段を所定方向に往復動させ、前記玉状部材またはローラ状部材によりマッサージすることを特徴とする水圧利用マッサージ装置。
【請求項９】
前記膨張部材と前記マッサージ手段を往復動させるシリンダ装置への給、排水を行う切替弁を別々に設けたことを特徴とする請求項８に記載した水圧利用マッサージ装置。
【発明の詳細な説明】
【技術分野】
【０００１】
本発明は水圧利用マッサージ装置に係り、特に、水道水圧を利用し、年をとって力がなくなった方でも家庭で簡単に利用できるようにした、水道水圧を利用した水圧利用マッサージ装置に関するものである。
【背景技術】
【０００２】
東洋医学では、体の内臓と皮膚の表面をつないだ重要な１４のルートを経絡とよび、その経絡に沿って存在する経穴（つぼ）を刺激することで、体内の物質を活性化して抵抗力を強めて体を守ることができると考えられている。実際にこの経穴（つぼ）を刺激することで、痛みが取れたり血流が変化したり、炎症が抑制されたりする、という効果が確認されているが、なぜこのようなことが起こるのかは現代医学では解明されていない。
【０００３】
しかし前記したように、現実に経穴（つぼ）を鍼、灸、指圧などで刺激することで、痛みが取れたり血流が変化したり、炎症が抑制されたりする、という効果が確認され、例えば足の裏や指をもむと、衰えて疲労し、痛みが出ていた脚の裏側の痛みが消え、内臓の不調も改善されるとされている。また、５本の指先で膝の関節を持ち上げるようにして細かな振動を与え、左右上下にゆっくり回すことを左右の足で行ない、足の第１指全体、特に第１指の付け根の両脇を両手の指先で挟みもみし、第２指から第５指は、足の裏側における付け根の横に広がるところをまんべんなく押しもみして、最後に第５指の付け根から足の外よりに沿って押しもみすると、膝の痛みが消えてゆくとされている。
【０００４】
さらに、硬くなった向こうずねをほぐせば胃腸の弱い人でも食欲が増進し、すねの内側、正確には、膝を曲げたときにしわのできるところと内くるぶしの間を４等分して下から２番目の区域に４つのつぼがあって、これを下から上へ熱くなるまでマッサージして刺激することで経絡の流れが良くなり、肝臓の機能が低下して疲れやすい、朝の目覚めが悪い、しつこいものや油ものを食べるともたれる、酒を飲むとすぐ酔ったり悪酔いするなどの症状に対して効果があるとされ、また、くるぶしの上の懸鐘というつぼを刺激して緊張をほぐしてやり、すねの外側の筋肉の張りをとってやることで、変形性膝関節症の場合でも治療効果があるとされている。
【０００５】
さらに、後頭部の骨の出っ張り（外後頭隆起）の下の窪んでいる延髄奥には視神経の中枢があり、延髄の中央とその左右に一点ずつ合計三点のつぼがあって、右手の親指を使って中央つぼを３秒間やや強めに押した後３秒間離す、という動作を１０回繰り返し、次に左手の親指を使ってやはり中央つぼを３秒間やや強めに押し、続いて左側のつぼを３秒間やや強めに押して３秒間指を離す、という刺激を一カ所について１０回繰り返すことで、目の疲れから来るストレスや過労が原因のめまいが直り、さらに、首の横から肩、及び背中へと続いている僧帽筋へ両手の親指で前記したように１０回指圧を行うことで、過度の緊張によるめまいも治癒させることができるとされている。
【０００６】
また、下腹部にある恥骨上端にある曲骨と、曲骨の左右両側にある横骨のところにあるつぼを両手の親指を重ねて３〜５分指圧すると、夜間頻尿、残尿感などの不快症状がある初期の前立腺肥大に効果があるとされている。
【０００７】
このように、体の各部位に存在するつぼを指圧などによって刺激することで、種々の治療効果が出るとされてはいるが、こういった刺激（指圧）を自分で行う場合、押圧する部位が痛くなるほどの強さは必要ないが、気持ちよく感じる程度の多少の痛みを伴う強さで押圧する必要があり、かなりの力が必要である。しかし、こういった指圧を必要とする人は、お年を召した方か、若しくは何らかの治療が必要になった方が多く、こういった人達にとって一定時間継続して指圧に必要な力を出すことは大変な作業になる。また、専門家に指圧して貰う方法もあるが、毎日となると当然のことながら大きな出費となってしまう。
【０００８】
こういったことに対処して簡単にマッサージを行うようにした装置としては、例えば特許文献１には、指圧力が常に一定となるよう、略円形で突起を設けた中空加圧子に水や空気などの流体を入れ、膨張させてツボを加圧するようにした装置が示されている。また特許文献２には、浴槽内に、水圧を利用して押圧部材をピストン式に出し入れできるようにした押圧手段を設け、入浴中にマッサージをおこなえるようにした装置が示されている。
【０００９】
【特許文献１】特開２００１−２９４２９号公報
【特許文献２】特開２００３−１３５５４８号公報
【発明の開示】
【発明が解決しようとする課題】
【００１０】
しかしながら特許文献１に示された装置は、中空加圧子に流体を供給するため、ポンプや温水または温風を供給するための加熱器などが用いられて当然高価となり、また中空加圧子は、体の形状に合わせて設けられた据え付け部に埋め込まれてその上に体を横たえるようになっていて、一般家庭で使用するには難がある。
【００１１】
また特許文献２に示された装置は、押圧手段を浴槽内に設けて入浴中にマッサージを行う装置であり、水道水圧や浴槽内の水を送り出すポンプにより押圧手段を動作させてはいるが、マッサージ部位が背中に限られると共に装置が比較的大がかりとなり、家庭に設置するためには難がある。また、入浴時しか利用できないからいつでも簡単に利用することは難しい。
【００１２】
そのため本発明においては、簡単な構成で安価、しかも家庭内においていつでも比較的簡単に使用できる水圧利用マッサージ装置を提供することが課題である。
【課題を解決するための手段】
【００１３】
上記課題を解決するため本発明における水圧利用マッサージ装置は、
水道水の圧力を利用してマッサージを行う水圧利用マッサージ装置であって、
ホースなどの可撓性管を接続して給、排水をおこなう給、排水口を有し、給水された水道水圧で膨張する膨張部材と、該膨張部材への水道水給水と排水を切り替える切替弁と、前記膨張部材をマッサージ部位で保持し、前記膨張部材への水道水給水による膨張力を前記マッサージ部位へ向かわせる保持部材とからなり、
前記切替弁を切り替えて前記膨張部材の膨張、収縮を交互に切り替え、前記膨張部材による膨張力で前記マッサージ部位をマッサージすることを特徴とする。
【００１４】
このようにマッサージ装置を構成することにより、使用に当たっては膨張部材による膨張力がマッサージ部位に向かうよう保持部材で保持し、切替弁をホースなどで水道蛇口に接続すると共に排水を排水溝に流せるようにし、切替弁の切り替えで膨張部材へ水道水を給水したり排出できるようにすればよく、家庭内でいつでも簡単に使用できる。またマッサージは、膨張部材へ給水することで膨張した膨張部材の膨張力がマッサージ部位に向かうことでおこなわれるから、非力な人でも適度な力をマッサージ部位に与えて良好なマッサージを行うことができ、しかも構成は非常に簡単であるから安価な水圧利用マッサージ装置を提供することができる。
【００１５】
そして、前記膨張部材のマッサージ部位側に、つぼ押圧用の押圧部材を取り付ける面ファスナーを配し、また、前記膨張部材と前記マッサージ部位との間に、つぼ押圧用の押圧部材を取り付ける面ファスナーを配した板状部材を設けたことにより、押圧部材による指圧効果をも得られる水圧利用マッサージ装置を提供することができる。
【００１６】
また前記保持部材を靴形に構成し、靴底側に前記膨張部材を配したり、足の甲側につぼ押圧用の押圧部材を取り付ける面ファスナーを配することで足の甲におけるつぼを指圧したりマッサージしたりでき、また、前記保持部材をゲートル状または広幅布状に構成してマッサージ部位側に前記膨張部材を配し、マッサージ部位に巻き付けて係止できるように構成してふくらはぎ、若しくは腹部をマッサージできるようにしたり、肩から首へかけての形状に形成し、体側に前記膨張部材を配すると共に、ベルト状緊締具を付けることで肩から首へかけてのマッサージや指圧を行うことができるようにすることが好適な実施例である。
【００１７】
また前記課題を解決するため本発明は、
水道水を利用してマッサージを行う水圧利用マッサージ装置であって、
ホースなどの可撓性管を接続して給、排水をおこなう給、排水口を有し、給水された水道水圧で膨張する膨張部材と、玉状部材またはローラ状部材を有して前記膨張部材とマッサージ部位の間に位置し、前記玉状部材またはローラ状部材を所定方向に往復動可能に構成したマッサージ手段と、シリンダ装置を備え、該シリンダ装置へ水道水を給、排水することで前記マッサージ手段の往復動をおこなわせる機構と、前記膨張部材とシリンダ装置、及びマッサージ手段の往復動を行わせる機構を保持し、前記膨張部材への水道水給水による膨張力を前記マッサージ部位方向へ向かわせる保持部材と、前記膨張部材及びシリンダ装置への水道水給水と排水を切り替える切替弁と、からなり、
前記切替弁を切り替えて前記膨張部材の膨張、収縮を交互に切り替えると共に、前記マッサージ手段を所定方向に往復動させ、前記玉状部材またはローラ状部材によりマッサージすることを特徴とする。
【００１８】
このようにマッサージ装置を構成することにより、玉状部材またはローラ状部材で構成したマッサージ手段の所定方向の往復動と適度な圧接力で前記した青竹踏みと同様な効果が得られ、しかもマッサージ装置は非常に簡単、安価な構成であるから、家庭内でいつでも簡単に、また非力な人でも容易に行うことができるマッサージ装置を提供することができる。
【００１９】
そして、前記膨張部材と前記マッサージ手段を往復動させるシリンダ装置への給、排水を行う切替弁を別々に設けることで、マッサージ手段によるマッサージは、使用者が任意の間隔で、任意の強さで行うことが可能となり、より治療効果の大きいマッサージ装置を提供することができる。
【発明の効果】
【００２０】
以上記載のごとく本発明によれば、大がかりな装置が不要で安価に構成でき、しかも、家庭内でいつでも比較的簡単にマッサージを行うことができる、水圧利用マッサージ装置を提供することができる。
【発明を実施するための最良の形態】
【００２１】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【００２２】
図１は本発明になる水圧利用マッサージ装置を靴形とした第１実施例、図２はこの図１に示した第１実施例の変形例であり、それぞれ（Ａ）はつぼ押圧用押圧部材を付けた膨張部材の水道水供給前の状態を示した一部断面図と、水道水の給、排水に必要な部材をブロック図で表した図、（Ｂ）はつぼ押圧用押圧部材を足の甲に付けた場合の一部断面図、（Ｃ）は膨張部材に水道水を給水した状態を示した一部断面図、図３は靴形とした本発明になる水圧利用マッサージ装置の第２実施例で、（Ａ）は一部を断面とした側面図、（Ｂ）はマッサージ手段の往復動機構部を示した平面図、（Ｃ）はシリンダへの給、排水に必要な部材をブロック図で表した図、図４はふくらはぎ部分をマッサージするよう構成した本発明になる水圧利用マッサージ装置の第３実施例、図５は腹部をマッサージするよう構成した本発明になる水圧利用マッサージ装置の第４実施例、図６はふくらはぎ部分をマッサージするよう構成した本発明になる水圧利用マッサージ装置の第５実施例で、（Ａ）はこの第５実施例の全体斜視図、（Ｂ）は上面概略図、（Ｃ）はマッサージ機構のみを（Ｂ）に矢印９０で示した方向から見た概略図、（Ｄ）はこの第５実施例におけるふくらはぎマッサージに用いるローラの保持部材の図、図７は首から肩へ掛けての部位をマッサージするよう構成した本発明になる水圧利用マッサージ装置の第６実施例である。図中同一構成要素には同一番号を付してある。
【実施例１】
【００２３】
図１は本発明になる水圧利用マッサージ装置を靴形とした第１実施例であり、この第１実施例では、ホースなどの可撓性管を接続して給、排水をおこなう給、排水口１を有し、中空とされて給水された水道水の水圧で膨張する膨張部材２、この膨張部材２への水道水給水と膨張部材２からの排水を切り替える切替弁３、膨張部材２の膨張力を前記マッサージ部位４へ向かわせる、靴形形状とした保持部材５などで構成される。
【００２４】
そして膨張部材２は、図１（Ａ）のように靴形形状とした保持部材５の底に設けられ、マッサージ部位４との間には例えば板状部材６が設けられ、さらにこの靴形形状の保持部材５における上部は、靴形形状の保持部材５への足の出し入れを容易におこなえるようにするためと、マッサージを行う際に膨張部材２の膨張によって足が飛び出したりしないよう足をしっかりと固定するため、面ファスナー（マジックテープ：登録商標）や紐を用いた足の固定部材７が設けられ、また、膨張部材２へ給水する水道水の流量を調節するために流量調節弁８、水道給水口９を開けたままとする場合に備えて元栓１０などが設けられる。
【００２５】
また、前記したように東洋医学では足の裏にいくつかのつぼがあって、そのつぼを刺激することでホルモンの分泌が増え、若々しい健康な体を保てるとしているが、そのつぼを刺激するため、例えば発泡スチロールなどを用いて凸部を形成したつぼ押圧用の押圧部材１１を板状部材６に取り付ける。この取り付けは、板状部材６と押圧部材１１の両方に例えば面ファスナーなどを設けておき、予め足の裏の押圧する個所に印を付けて膨張部材２を膨張させ、印が転写された位置に押圧部材１１を取り付けるなどすればよい。
【００２６】
また足には、足の裏だけでなく甲の方にもシミなどを防止するつぼなどがある。そのため本発明のマッサージ装置では、図１（Ｂ）に示すように、例えば足の甲にあるつぼ１３を刺激できるよう、前記押圧部材１１を甲側に取り付けられるようにもする。これは、靴形形状の保持部材５における甲側の内面に前記した面ファスナーなどを設け、つぼに対応する位置に押圧部材１１を取り付ければよい。
【００２７】
このように構成した本発明になる第１実施例の水圧利用マッサージ装置は、まず足の裏、または甲の押圧する場所（つぼ）を確認してその位置に対応する板状部材６、または靴形形状の保持部材５における甲の部分につぼ押圧用の押圧部材１１を取り付け、次いで、給、排水口１と切替弁３をホースでつなぎ、さらに切替弁３の一端にホースをつないで排水溝１２へ、一端を流量調節弁８、元栓１０を介して水道給水口９につなぐ。
【００２８】
そして、足を靴形形状の保持部材５に入れて固定部材７でしっかり固定し、切替弁３を、給、排水口１に水道水が供給される位置にして流量調節弁８の流量を最小とし、元栓１０を開く。すると水道水が給、排水口１から膨張部材２に供給され、この膨張部材２が図１（Ｃ）に示したように膨張して板状部材６を足裏に押しつける。そのため流量調節弁８を調節し、最適な押圧力で押圧部材１１が足裏のマッサージ部位４を押圧するようにし、また、適宜な間隔を置いて切替弁３を排水側に切り替える。すると、膨張部材２の中に入っていた水は切替弁３を介して排水溝１２に排水され、膨張部材２は、図１（Ａ）に示したように収縮して押圧部材１１によるマッサージ部位４への押圧は解除される。
【００２９】
そのため、適宜の間隔を置いて再び切替弁３を給、排水口１に水道水が供給される位置にすると、膨張部材２はまた図１（Ｃ）に示したように膨張し、押圧部材１１が足裏のマッサージ部位４を押圧する。そのため以上の動作を繰り返すことで、マッサージ部位４は最適な力でマッサージ（指圧）が行われる。また、膨張部材２の膨張速度は流量調節弁８における流量を調節することで変化させることができ、それによって最適な時期に切替弁３を切り替えるようにすれば、押圧力も自分の好みの強さに調節することができる。さらに、押圧部材１１は押圧部が種々の大きさのものを用意し、最適なものを使用すると効果が大きくなる。
【００３０】
なお、切替弁３、流量調節弁８、元栓１０などは、接続するホースの長さを調節し、膨張部材２の膨張、収縮、流量の調節、元栓１０の開、閉栓などをマッサージしながらおこなえる位置に置けるようにすることが好ましく、またマッサージは、風呂場など、水道栓が有って排水が容易なところで実施すると水漏れなどに対処できる。また、風呂場でお湯が使える場合、温湯をかけながらやったり、給湯器から温水を供給してマッサージすればより効果的である。さらに、靴形形状の保持部材５における給、排水口１の位置をかかとの部位としたが、これはつま先や足の横方向にしても良いことは自明である。
【００３１】
図２は本発明になる水圧利用マッサージ装置の第１実施例の変形例であり、前記第１実施例では膨張部材２とマッサージ部位４に板状部材６を設けたが、この変形例では、靴形形状の保持部材５の底に板状部材６を置き、その板状部材６と足裏のマッサージ部位４との間に膨張部材２を置いて、膨張部材２の水道水給水による膨張力を前記マッサージ部位４へ直接向かわせるようにしたものである。
【００３２】
そのためこの変形例では、つぼ押圧用の押圧部材１１を、前記した面ファスナーなどを用いて膨張部材２へ直接取り付ける。足の甲の方に取り付ける場合は前記図１（Ｂ）に示した場合と同様である。そして、前記したように足を靴形形状の保持部材５に入れて固定部材７でしっかり固定し、切替弁３を、給、排水口１に水道水が供給される位置にして流量調節弁８の流量を最小とし、元栓１０を開くと、水道水が給、排水口１から膨張部材２に供給され、この膨張部材２に取り付けたつぼ押圧用の押圧部材１１が、図２（Ｃ）に示したように直接マッサージ部位４を押圧してマッサージを行うことができる。
【００３３】
流量調節弁８を調節して最適な押圧力で押圧部材１１が足裏のマッサージ部位４を押圧するようにすることや、適宜な間隔を置いて切替弁３を切り替え、膨張部材２を膨張させたり収縮させたりしてマッサージを行うことは前記した場合と全く同様である。
【実施例２】
【００３４】
図３は、本発明になる水圧利用マッサージ装置の第２実施例で、この第２実施例では、従来から青竹やゴルフボールを踏んだり、子供に足裏を踏んで貰ったりして得られるのと同様なマッサージ効果が得られるようにしたものである。
【００３５】
図中前記図１と同様な構成要素には同一番号が付してあり、１は膨張部材２へ水道水を給、排水する給、排水口、４は足裏のマッサージ部位、７は膨張部材２の膨張によって足が飛び出したりしないよう足をしっかりと固定するため、面ファスナー（マジックテープ：登録商標）や紐を用いた足の固定部材、２０は靴形形状とした保持部材である。
【００３６】
そしてこの膨張部材２の上には、連結部材２１で一定間隔を置いて連結された軸２２の端部に設けられたコロ２３を図上左右に移動可能に構成したガイド部２４が設けられ、膨張部材２の膨張により、軸２２に回転可能に位置が固定された玉状部材またはソロバン玉状の部材、若しくはローラ状の部材（図示の例ではソロバン玉状の部材を示したが、玉状部材、ローラ状部材でも良く、これを以下の説明では単に玉状部材と称する。）２５を足裏のマッサージ部位４に押しつけられるようにした板状部材２６が設けられている。
【００３７】
また連結部材２１には、図上左右の端部にワイヤまたはチェーン２７、２８が接続され、一方のワイヤまたはチェーン２７は、プーリ２９、３０、３１、３２、３３を介してシリンダ３４における図示していない内部のピストンの上部に接続され、他方のワイヤまたはチェーン２８は、プーリ３５、３６、３７、３８を介してシリンダ３９における図示していない内部のピストンの上部に接続されている。
【００３８】
そしてシリンダ３４、３９にはそれぞれ給、排水口４０、４１が設けられ、このどちらかに選択的に水道水を給水すると、図示していない内部のピストンが図上、上方に押し上げられて、ワイヤまたはチェーン２７、２８が引っ張り上げられ、プーリ２９、３０、３１、３２、３３、または３５、３６、３７、３８を介して軸２２を連結した連結部材２１が引っ張られて、玉状部材２５が回転しながら移動するようになっている。
【００３９】
また、膨張部材２における給、排水口１には、前記第１実施例で説明したように、膨張部材２への水道水給水と膨張部材２からの排水を切り替える切替弁３、膨張部材２へ給水する水道水の流量を調節するための流量調節弁８、水道給水口９を開けたままとする場合に備えて元栓１０などが設けられ、一方、シリンダ３４、３９における給、排水口４０、４１には図３（Ｃ）に示したように、例えば給、排水口４０に水道水を供給するときは給、排水口４１は排水側４３となり、給、排水口４０を排水側４３としたときは給、排水口４１が給水側となるよう切り替えられる切替弁４２が設けられ、その他膨張部材２の場合と同様、流量調節弁４４、元栓４５などが設けられて水道給水口４６に接続される。
【００４０】
このように構成した本発明になる第２実施例の水圧利用マッサージ装置は、第１実施例の場合と同様給、排水口１と切替弁３をホースでつなぎ、さらに切替弁３の一端にホースをつないで排水溝１２へ、一端を水量調節弁８、元栓１０を介して水道給水口９につなぎ、給、排水口４０、４１にも同様に切替弁４２をつなぐと共に切替弁４２の一端からホースで排水溝４３へ、一端を流量調節弁４４、元栓４５を介して水道給水口４６につなぐ。
【００４１】
そして、足を靴形形状の保持部材２０に入れて固定部材７でしっかり固定し、切替弁３を給、排水口１に水道水が供給される位置にして流量調節弁８の流量を最小とし、元栓１０を開く。一方、切替弁４２に接続した流量調節弁４４も流量を最小とし、元栓４５を開く。すると水道水が給、排水口１から膨張部材２に供給され、この膨張部材２が膨張して板状部材２６を足裏のマッサージ部位４の方に押し上げ、玉状部材２５がこの足裏のマッサージ部位４に圧接される。
【００４２】
また、切替弁４２によって例えば給、排水口４０を介してシリンダ３４に水道水が供給されると、シリンダ３４における図示していないピストンが押し上げられ、ワイヤまたはチェーン２７が引っ張り上げられて連結部材２１が図３（Ｂ）において左方向に引っ張られる。そのため、連結部材２１で連結された軸２２に填められたコロ２３によって連結部材２１が図上左方向に移動し、軸２２に回転可能に位置固定された玉状部材２５が足裏のマッサージ部位４を回転しながら移動し、青竹踏みと同様な効果を足裏のマッサージ部位４に与える。
【００４３】
そして、連結部材２１が図上最左方向まで行って停止したら、切替弁４２を切り替えて給、排水口４０を排水側にし、給、排水口４１を介してシリンダ３９へ水道水が供給されるようにすると、シリンダ３９における図示していないピストンが押し上げられ、ワイヤまたはチェーン２８が引っ張り上げられて連結部材２１が図３（Ｂ）において右方向に引っ張られる。そのため、連結部材２１で連結された軸２２に填められたコロ２３によって連結部材２１が図上右方向に移動し、軸２２に回転可能に位置固定された玉状部材２５が足裏のマッサージ部位４に当接して回転しながら移動する。従って足裏のマッサージ部位４は、切替弁４２を切り替えるたびに玉状部材２５が足裏をマッサージしながら移動するから、切替弁４２の切替を適宜な間隔で行うことで、足裏のマッサージ部位４に青竹踏みと同様な効果を与えることができる。
【００４４】
なおこの際、第１実施例で説明したように流量調節弁８、４４を調節することで、最適な押圧力で玉状部材２５が足裏のマッサージ部位４に圧接するようにしたり、玉状部材２５の移動速度を調節することができる。また、言及はしなかったが、一方のシリンダに水道水が供給されてピストンが押し上げられたとき、他方のシリンダは、ワイヤまたはチェーンがピストンを押し下げる方向に引かれるから、その押し下げ動作によってシリンダ内の水が排水されることになる。
【００４５】
また、切替弁３、４２、流量調節弁８、４４、元栓１０、４５などは接続するホースの長さを調節し、膨張部材２の膨張量の調節、玉状部材２５の移動速度の調節などをマッサージしながらおこなえる位置におけるようにすることが好ましく、またマッサージは、風呂場など、水道栓が有って排水が容易なところで実施すると水漏れなどに対処できる。また、風呂場でお湯が使える場合、温湯をかけながらやったり、給湯器から温水を供給してマッサージすればより効果的である。さらに、靴形形状の保持部材２０における給、排水口１、シリンダ３４、３９の位置をかかとの部位としたが、これはつま先や足の横方向にしても良く、さらに、ワイヤまたはチェーン２７、２８をシリンダ３４、３９の頂部から引っ張り上げるよう説明してきたが、図示していないピストンの構造が許せば、シリンダ３４、３９の下部から引っ張るようにしてもよいことは自明である。また、シリンダ３４、３９は、単に靴形形状とした保持部材２０に取り付けるよう説明したが、ベルトなどで緊締して固定するようにしても良いことは勿論である。
【００４６】
図４、図５は、本発明になる水圧利用マッサージ装置の第３、第４実施例であり、この第３、第４実施例では、足のすね部（第３実施例）や腹部（第４実施例）をマッサージするため、ゲートル状の部材（第３実施例）や広幅布状、例えば腹帯状の部材（第４実施例）を用いて膨張部材を保持し、マッサージ効果が得られるようにしたものである。
【００４７】
前記したように足のすねは、内側、正確には、膝を曲げたときにしわのできるところと内くるぶしの間を４等分して下から２番目の区域に４つのつぼ（地機５０、中都５１、漏谷５２、蠡溝５３といわれる）があり、この部分を刺激することで経絡の流れが良くなり、肝臓の機能が低下して疲れやすい、朝の目覚めが悪い、しつこいものや油ものを食べるともたれる、酒を飲むとすぐ酔ったり悪酔いするなどの症状に対して効果があるとされ、また、外くるぶしの上の懸鐘というつぼを刺激して緊張をほぐしてやり、すねの外側の筋肉の張りをとってやることで、変形性膝関節症の場合でも治療効果があるとされている。
【００４８】
また、下腹部にある恥骨上端にある曲骨と、曲骨の左右両側にある横骨のところにあるつぼを両手の親指を重ねて３〜５分指圧すると、夜間頻尿、残尿感などの不快症状がある初期の前立腺肥大に効果があるとされている。
【実施例３】
【００４９】
そのためまず図４に示した本発明の第３実施例では、ゲートル状の部材５４などの一端に面ファスナー５５を設けると共に給、排水口５６を有する膨張部材５７を貼り付け、ゲートル状の部材５４における図上裏側の面ファスナー５５をとめる位置にも同様に面ファスナーを設ける。さらに膨張部材５７の所定位置に、前記第１実施例におけるつぼ押圧用の押圧部材１１と同様、発泡スチロールなどを用いて凸部を形成したつぼ押圧用の押圧部材５８を前記地機５０、中都５１、漏谷５２、蠡溝５３に対応した位置に取り付けられるよう、面ファスナーを膨張部材５７、押圧部材５８の両方に設ける。
【実施例４】
【００５０】
また、図５に示した本発明の第４実施例では、腹帯状の部材６０などの一端に面ファスナー６１を設けると共に給、排水口６２を有する膨張部材６３を貼り付け、腹帯状の部材６０における図上裏側の面ファスナー６１をとめる位置にも同様に面ファスナーを設ける。さらに膨張部材６３の所定位置に、前記第１実施例におけるつぼ押圧用の押圧部材１１と同様、発泡スチロールなどを用いて凸部を形成したつぼ押圧用の押圧部材６４を前記曲骨の左右両側にある横骨のところにあるつぼに対応した位置に取り付けられるよう、面ファスナーを膨張部材６３、押圧部材６４の両方に設ける。
【００５１】
そしてそれぞれの給、排水口５６、６２には、前記図１（Ａ）に示した切替弁３を接続し、流量調節弁８、元栓１０などを介して水道給水口に接続する。また、つぼ押圧用の押圧部材５８、６４をゲートル状部材５４、腹帯状の部材６０に取り付け、これらつぼ押圧用の押圧部材５８、６４が対応するつぼに当接するよう、ゲートル状部材５４、腹帯状の部材６０をマッサージ部位に巻き付け、面ファスナー５５、６１で固定する。
【００５２】
そして第１実施例と同様、切替弁３を給、排水口５６、６２に水道水が供給される位置にして流量調節弁８の流量を最小とし、元栓１０を開く。すると水道水が給、排水口５６、６２から膨張部材５７、６３に供給され、この膨張部材５７、６３が膨張して押圧部材５８、６４がつぼを押圧する。そのため流量調節弁８を調節し、最適な押圧力で押圧部材５８、６４がつぼを押圧するようにし、また、適宜な間隔を置いて切替弁３を排水側に切り替える。すると、膨張部材５７、６３の中に入っていた水は切替弁３を介して排水溝１２に排水され、膨張部材５７、６３は収縮して、押圧部材５８、６４による押圧は解除される。
【００５３】
そのため、適宜の間隔を置いて再び切替弁３を給、排水口５６、６２に水道水が供給される位置にすると、膨張部材５７、６３はまた膨張し、押圧部材５８、６４がつぼを押圧する。そのため以上の動作を繰り返すことで、つぼは最適な力で指圧が行われる。また、膨張部材５７、６３の膨張速度は流量調節弁８における流量を調節することで変化させることができ、それによって最適な時期に切替弁３を切り替えるようにすれば、押圧力も自分の好みの強さに調節することができる。なお、以上の説明ではゲートル状の部材５４と腹帯状の部材６０をとめるのに面ファスナーを用いたが、ベルトなどを用いても良いことは自明である。
【実施例５】
【００５４】
図６は、本発明になる水圧利用マッサージ装置の第５実施例で、前記図４に示した第３実施例と同様、足のすねをマッサージするものである。但し、前記した第３実施例においては、単に押圧部材１１で押圧するだけのマッサージであったが、この第５実施例では、前記図３に示した第２実施例のように、膝部分の歩行補助用ギプス形状の部材を用いてマッサージ部位を、ローラ状の部材でマッサージできるようにしたものである。
【００５５】
この図６において、（Ａ）は全体斜視図、（Ｂ）は上面概略図、（Ｃ）はマッサージ機構のみを（Ｂ）に矢印９０で示した方向から見た概略図、（Ｄ）はこのふくらはぎマッサージに用いるローラの保持部材の図である。図中９１はギプス形状の歩行補助具の一部であり、この歩行補助具９１は、硬質プラスチックなどで形成された保護部材９２と、この上下に接続する別の歩行補助具と接続するため、金属で形成された板状の接続具９３、９４、足に密着させるためのベルト９５、９６などが設けられている。
【００５６】
そして保護部材９２の内側には、水道水を給、排水する給、排水口９７を有した膨張部材９８が取り付けられ、また板状の接続金具９３、９４には、前記図３に示した第２実施例と同様のシリンダ９９、１００が固着されている。また膨張部材９８のさらに内側には、シリンダ９９の上部にプーリ１０１を介して接続したワイヤまたはチェーン１０２を一端に、他端にプーリ１０３〜１０７を介してシリンダ１００の上部に接続したワイヤまたはチェーン１０８を接続され、図６（Ｄ）に概略を示したように、ローラ１０９を回転自在に保持したローラ保持部材１１０が配されている。
【００５７】
このうちワイヤまたはチェーン１０８は、図６（Ａ）に示した保護部材９２の下部に設けられたプーリ１０３（図６（Ｃ）参照）によって保護部材９２の外側を通り、プーリ１０４、１０５、１０６、１０７を介してシリンダ１００の上部に接続されている。また、１１１、１１２は、シリンダ９９、１００の給、排水口、１１３、１１４はローラ保持部材１１０に設けられたワイヤ１０２、１０８を接続するフックである。
【００５８】
そして、シリンダ９９、１００に設けられた給、排水口１１１、１１２のどちらかに選択的に水道水を給水すると、シリンダ９９、１００内部の図示していないピストンが図上、上方に押し上げられ、ワイヤまたはチェーン１０２、または１０８が引っ張り上げられて、ローラ保持部材１１０が上方（ワイヤまたはチェーン１０２が引かれたとき）または下方（ワイヤまたはチェーン１０８が引かれたとき）にひかれ、このローラ保持部材１１０に取り付けられたローラ１０９が回転しながら移動する。
【００５９】
また、膨張部材９８における給、排水口９７には、前記第１実施例で説明したように、膨張部材９８への水道水給水と膨張部材９８からの排水を切り替える切替弁、膨張部材９８へ給水する水道水の流量を調節するための流量調節弁、水道給水口を開けたままとする場合に備えて元栓などが設けられ、一方、シリンダ９９、１００における給、排水口１１１、１１２には図３（Ｃ）に示したように、例えば給、排水口１１１に水道水を供給するときは給、排水口１１２は排水側となり、給、排水口１１１を排水側としたときは給、排水口１１２が給水側となるよう切り替えられる切替弁が設けられ、その他、流量調節弁、元栓などが設けられて水道給水口に接続される。
【００６０】
このように構成した本発明になる第５実施例の水圧利用マッサージ装置は、第２実施例の場合と同様給、排水口９７と切替弁をホースでつなぎ、さらに切替弁の一端にホースをつないで排水溝へ、一端を水量調節弁、元栓を介して水道給水口につなぎ、給、排水口１１１、１１２にも同様に切替弁をつなぐと共に切替弁の一端からホースで排水溝へ、一端を流量調節弁、元栓を介して水道給水口につなぐ。
【００６１】
そして、このギプス形状の歩行補助具９１の保護部材９２を、ローラ保持部材１１０のローラ１０９がふくらはぎのマッサージ部位に当たるよう膨張部材９８で押さえながら膝下に装着し、ベルト９５、９６でしっかり固定して必要に応じて別の歩行補助具を接続具９３、９４で接続する。その後切替弁を、給、排水口９７に水道水が供給される位置にして流量調節弁の流量を最小とし、元栓を開く。一方、シリンダ９９、１００の給、排水口１１１、１１２へ接続した切替弁の流量調節弁も流量を最小とし、元栓を開く。すると水道水が給、排水口９７から膨張部材９８に供給され、この膨張部材９８が膨張してローラ保持部材１１０のローラ１０９がふくらはぎのマッサージ部位に押しつけられる。
【００６２】
また、シリンダ９９、１００の給、排水口１１１、１１２へ接続した切替弁によって例えば給、排水口１１２を介してシリンダ１００に水道水が供給されると、シリンダ１００における図示していないピストンが押し上げられ、ワイヤまたはチェーン１０８が引っ張り上げられて、ローラ保持部材１１０が図６（Ｃ）において下方向に引っ張られる。そのため、シリンダ９９の図示していないピストンは、ワイヤまたはチェーン１０２で引かれてシリンダ９９内の水が排出されながら下降し、同時に、ローラ保持部材１１０が保持したローラ１０９が、膨張部材９８によってふくらはぎに圧接されながら下方に降り、ふくらはぎをマッサージする。
【００６３】
そして、ローラ保持部材１１０が下まで行って停止したら、切替弁を切り替えて給、排水口１１２を排水側にし、給、排水口１１１を介してシリンダ９９へ水道水が供給されるようにすると、シリンダ９９における図示していないピストンが押し上げられ、ワイヤまたはチェーン１０２が引っ張り上げられて、ローラ保持部材１１０が上方に移動する。そのため、ローラ保持部材１１０が保持したローラ１０９が、膨張部材９８によってふくらはぎに圧接されながら上方に登り、ふくらはぎをマッサージする。このとき、シリンダ１００内の図示していないピストンは、内部の水が排出されながら下に引かれてゆく。従って、ふくらはぎのマッサージ部位は、切替弁を切り替えるたびにローラ１０９がマッサージしながら移動するから、切替弁の切替を適宜な間隔で行うことで、ふくらはぎのマッサージ部位を適宜マッサージすることができる。
【００６４】
なお、膨張部材９８の膨張速度は流量調節弁流量を調節することで変化させることができ、それによって最適な時期に切替弁を切り替えるようにすれば、押圧力も自分の好みの強さに調節することができることは前記と同様である。
【実施例６】
【００６５】
図７は、本発明になる水圧利用マッサージ装置の第６実施例であり、この第６実施例では、首や肩をマッサージするため、石膏などで首や肩の部分の型を作り、その型を元に合成樹脂などで首や肩にフィットする部材を作り、その内側（体側）に膨張部材を設けてマッサージ効果が得られるようにしたものである。
【００６６】
すなわち前記し、図７（Ａ）に示したように、後頭部の骨の出っ張り（外後頭隆起）の下の窪んでいる延髄奥には視神経の中枢があり、延髄の中央とその左右に一点ずつ合計三点のつぼ７０があって、これらのつぼを押圧することで、目の疲れから来るストレスや過労が原因のめまいが直り、さらに、首の横から肩、及び背中へと続いている僧帽筋７１を押圧することで、過度の緊張によるめまいも治癒させることができるとされている。
【００６７】
そのためこの第６実施例では、図７（Ｂ）に示したように、延髄の中央とその左右に一点ずつ合計三点のつぼ７０から僧帽筋７１、及び肩甲骨７２から腰までを覆うように前記したような保持部材７３を作り、それを脇の下などでしっかり体に固定できるようベルト７４、７５、このベルト７４、７５を手前で締められるようバックル７６、７７を付けたベルト７８、７９を付ける。そして、首の延髄におけるつぼ７０と肩の僧帽筋７１、それに肩甲骨７２の部位に対応させて、給、排水口８０、８１、８２をそれぞれ有する膨張部材８３、８４、８５を体側となる方（図７（Ｂ）では点線で示した）に設けたものである。
【００６８】
その他の構成は前記図１に示した第１実施例の場合と同様であり、膨張部材８３、８４、８５への水道水給水と膨張部材２からの排水を切り替えるため、それぞれに対応させた切替弁３、膨張部材２へ給水する水道水の流量を調節するための流量調節弁８、水道給水口９を開けたままとする場合に備えて元栓１０などが設けられる。また各つぼを刺激するため、例えば発泡スチロールなどを用いて凸部を形成したつぼ押圧用の押圧部材１１を、前記したように面ファスナーを用いて取り付けられるようにする。
【００６９】
このように構成した本発明になる第５実施例の水圧利用マッサージ装置は、まず首、肩、肩甲骨などの押圧する場所（つぼ）を確認してその位置に対応する膨張部材８３、８４、８５の部位につぼ押圧用の押圧部材１１を取り付け、次いで、給、排水口８０、８１、８２のそれぞれに対応させた切替弁３、流量調節弁８、元栓１０を介して水道給水口９につなぐ。
【００７０】
そして、保持部材７３を肩にかけ、ベルト７４、７５、７８、７９などを体の前でしっかりと締めて固定し、マッサージを行う部位に対応した切替弁３を対応した給、排水口８０、８１、８２のいずれかに水道水が供給される位置にして流量調節弁８の流量を最小とし、元栓１０を開く。すると水道水が給、排水口８０、８１、８２から膨張部材８３、８４、８５に供給され、この膨張部材８３、８４、８５が膨張する。そのため流量調節弁８を調節し、最適な押圧力で押圧部材１１がマッサージ部位を押圧するように調節し、また、適宜な間隔を置いて切替弁３を排水側に切り替える。すると、膨張部材８３、８４、８５の中に入っていた水は切替弁３を介して排水溝１２に排水され、膨張部材８３、８４、８５は、収縮して押圧部材１１によるマッサージ部位への押圧は解除される。
【００７１】
そのため、適宜の間隔を置いて再び切替弁３を給、排水口８０、８１、８２に水道水が供給される位置にすると、膨張部材８３、８４、８５はまた膨張し、押圧部材１１がマッサージ部位を押圧する。そのため以上の動作を繰り返すことで、マッサージ部位は最適な力でマッサージ（指圧）が行われる。また、膨張部材８３、８４、８５の膨張速度は流量調節弁８における流量を調節することで変化させることができ、それによって最適な時期に切替弁３を切り替えるようにすれば、押圧力も自分の好みの強さに調節することができる。
【００７２】
なお、切替弁３、流量調節弁８、元栓１０などは、接続するホースの長さを調節し、膨張部材２の膨張、収縮、流量の調節、元栓１０の開、閉栓などをマッサージしながらおこなえる位置に置けるようにすることが好ましく、またマッサージは、風呂場など、水道栓が有って排水が容易なところで実施すると水漏れなどに対処できる。また、風呂場でお湯が使える場合、温湯をかけながらやったり、給湯器から温水を供給してマッサージすればより効果的である。さらに、保持部材７３における膨張部材８３、８４、８５の位置、形は図示のものに限らないこと、給、排水口８０、８１、８２の位置も図示の位置に限らないことは自明である。
【００７３】
以上、種々述べてきたように本発明は、家庭内でいつでも簡単に使用でき、またマッサージは、膨張部材への給水で膨張した膨張部材の膨張力がマッサージ部位に向かうことでおこなわれるから、非力な人でも適度な力をマッサージ部位に与えて良好なマッサージを行うことができ、しかも構成は非常に簡単であるから安価な水圧利用マッサージ装置を提供することができる。
【００７４】
また本発明は、玉状部材またはローラ状部材で構成したマッサージ手段を適度な圧接力でマッサージ部位に押圧しながら、所定方向に往復動できるように構成したことで青竹踏みと同様な効果が得られ、しかもマッサージ装置は非常に簡単、安価な構成であるから、家庭内でいつでも簡単に、また非力な人でも容易に行うことができるマッサージ装置を提供することができる。
【産業上の利用可能性】
【００７５】
大がかりな装置が不要で安価に構成でき、しかも、家庭内でいつでも比較的簡単に使用できる水圧利用の指圧やマッサージをおこなう装置を提供することができる。
【図面の簡単な説明】
【００７６】
【図１】本発明になる水圧利用マッサージ装置を靴形とした第１実施例であり、（Ａ）はつぼ押圧用押圧部材を付けた膨張部材の水道水供給前の状態を示した一部断面図と、水道水の給、排水に必要な部材をブロック図で表した図、（Ｂ）はつぼ押圧用押圧部材を足の甲に付けた場合の一部断面図、（Ｃ）は膨張部材に水道水を給水した状態を示した一部断面図である。
【図２】図１に示した第１実施例の変形例である。
【図３】靴形とした本発明になる水圧利用マッサージ装置の第２実施例で、（Ａ）は一部を断面とした側面図、（Ｂ）はマッサージ手段の往復動機構部を示した平面図、（Ｃ）はシリンダへの給、排水に必要な部材をブロック図で表した図である。
【図４】ふくらはぎ部分をマッサージするよう構成した本発明になる水圧利用マッサージ装置の第３実施例である。
【図５】腹部をマッサージするよう構成した本発明になる水圧利用マッサージ装置の第４実施例である。
【図６】ふくらはぎ部分をマッサージするよう構成した本発明になる水圧利用マッサージ装置の第５実施例であり、（Ａ）は全体斜視図、（Ｂ）は上面概略図、（Ｃ）はマッサージ機構のみを（Ｂ）に矢印９０で示した方向から見た概略図、（Ｄ）はこのふくらはぎマッサージに用いるローラの保持部材の図である。
【図７】首から肩へ掛けての部位をマッサージするよう構成した本発明になる水圧利用マッサージ装置の第６実施例である。
【符号の説明】
【００７７】
１  給、排水口
２  膨張部材
３  切替弁
４  足裏のマッサージ部位
５  靴形形状の保持部材
６  板状部材
７  固定部材
８  流量調節弁
９  水道給水口
１０  元栓
１１  つぼ押圧用の押圧部材
１２  排水溝
１３  足の甲のマッサージ部位
【図１】
2006006854.tif 000003
【図２】
2006006854.tif 000004
【図３】
2006006854.tif 000005
【図４】
2006006854.tif 000006
【図５】
2006006854.tif 000007
【図６】
2006006854.tif 000008
【図７】
2006006854.tif 000009